(57)【要約】【課題】液体噴射ポンプに装着される押圧ヘッドのノズルにおける液垂れ、ノズル閉塞を防止する。【解決手段】ポンプの中空ステムを押圧するヘッド本体と、このヘッド本体の側壁に設けられ中空ステムを通して圧送された内容物を外界へ注出するノズルとを備えた押圧ヘッドにおいて、前記ノズルに、中空ステムの内部通路につながり該中空ステムを通して圧送された内容物を外界へ注出する主通路と、この主通路の壁面でそれに沿って連続的もしくは断続的に伸延する少なくとも１本の細溝または隆起部を設ける。【選択図】        図１
2004243239.tif 000002
【特許請求の範囲】
【請求項１】
ポンプの中空ステムを押圧するヘッド本体と、このヘッド本体の側壁に設けられ中空ステムを通して圧送された内容物を外界へ注出するノズルとを備えた押圧ヘッドであって、
前記ノズルに、中空ステムの内部通路につながり該中空ステムを通して圧送される内容物を外界へ注出する主通路と、この主通路の壁面でそれに沿って連続的もしくは断続的に伸延する少なくとも１本の細溝または隆起部を設けたことを特徴とする液体注出用押圧ヘッド。
【請求項２】
細溝または隆起部は、主通路内で螺旋状に伸延するものである、請求項１記載の液体注出用押圧ヘッド。
【発明の詳細な説明】
【０００１】
【発明の属する技術分野】
本発明は、液体注出用押圧ヘッドに関するものであり、該押圧ヘッドに付随するノズルからの液垂れや残存内容物の乾燥、固化によるズル閉塞を回避して内容物の安定注出を実現しようとするものである。
【０００２】
【従来の技術】
シャンプーやリンスあるいは化粧水等を入れておく据え置きタイプの大型容器には、その口部にプライミング式のポンプが装着されており、該ポンプにつながる押圧ヘッドを作動させることで該押圧ヘッドに一体的に設けられたノズルを通して内容物の適量注出を可能としている。
【０００３】
ところで、この種の容器に適用されるポンプは、内容物の注出動作を停止したのちにおいてもノズルの通路内には内容物が残存することが避けられないため、液切れが悪く、場合によっては該通路内で内容物が乾燥、固化してノズル閉塞を起こす不具合があった。
【０００４】
上記のような不具合を解決する従来手法としては、ノズルの側通路内に残存した内容物を自然流下させてシリンダ内に引き戻す、所謂、バックサクション機構を備えたポンプが提案されている（例えば、特許文献１参照）。
【０００５】
【特許文献１】
特開平８−１５６９５９号公報
【０００６】
しかしながら、上記のようなバックサクション機構を備えたポンプは、とくに、ノズルの通路の開口サイズが大きいものではバックサクションによる内容物の引き込み能力が低下するため液垂れや通路内で乾燥固化する可能性が依然として残されていた。
【０００７】
内容物の引き込み能力を高める対策としては、ノズルの通路のサイズを小さくすることが有効であるが、この場合、内容物の注出速度が高まるため水鉄砲状に飛び出してしまい、未だ有効な手立てがないのが現状であった。
【０００８】
【発明が解決しようとする課題】
本発明の課題は、ノズルの通路内に残存する内容物を効率良くシリンダ内に引き込んで液垂れや乾燥、固化によるノズル閉塞を回避することができる新規な押圧ヘッドを提案するところにある。
【０００９】
【課題を解決するための手段】
本発明は、ポンプの中空ステムを押圧するヘッド本体と、このヘッド本体の側壁に設けられ中空ステムを通して圧送された内容物を外界へ注出するノズルとを備えた押圧ヘッドであって、
前記ノズルに、中空ステムの内部通路につながり該中空ステムを通して圧送された内容物を外界へ注出する主通路と、この主通路の壁面でそれに沿って連続的もしくは断続的に伸延する少なくとも１本の細溝または隆起部を設けたことを特徴とする液体注出用押圧ヘッドである。
【００１０】
また、上記の構成において  細溝または隆起部は、主通路内で螺旋状に伸延させることができる。
【００１１】
【発明の実施の形態】
以下、図面を用いて本発明をより具体的に説明する。
【００１２】
図１は本発明に従う押圧ヘッドをポンプの中空ステムに組み込んだ状態を示した図であり、図２は押圧ヘッドのみを取り出して示した図である。
【００１３】
図において１は容器の口部（図示せず）にねじ止めされるキャップ、２はキャップ１に組み込まれ容器の口部において垂下されるポンプである。
【００１４】
また、３はポンプ２の中空ステム２ａを押圧するヘッド本体、４はヘッド本体３の側壁に略水平に設けられ中空ステム２ａを通して圧送された内容物を外界へ注出するノズル、５はノズル４に設けられた主通路であって、この主通路５は中空ステム２ａの内部通路につながり該内部通路を通して圧送される内容物を外界へ注出することができるようになっている。
【００１５】
また、６は主通路５の壁面でそれに沿って連続的に伸延する４本の例で示した細溝である。
【００１６】
図示したところのヘッド本体３に荷重を付加してポンプ２の中空ステム２ａをシリンダの最下端に位置させた状態でヘッド本体３の押し込みにかかる荷重を取り除くと、弾性部材２ｂの復元力にて中空ステム２ａはヘッド本体３とともに初期位置へと戻り、この時、シリンダ内は負圧になることから容器内の内容物がシリンダ内へ吸引される。
【００１７】
中空ステム２ａが完全に初期位置に復帰した状態で再びヘッド本体３に荷重を付加して押し込むことでシリンダ内の内容物は加圧され、所定の圧力に達したときに中空ステム２ａの内部通路及びノズル４の主通路５を通して圧送されて外界へと注出されることになり、この動作を適宜繰り返すことで内容物の適量排出が可能になる。
【００１８】
中空ステム２ａがヘッド本体３とともに初期位置に復帰する過程で図示のように棒状バルブと中空ステム２ａ下端の突状シール部との摺り合わせで棒状バルブがポンプ室内に引き込まれた体積分だけ主通路５内に残存する内容物を中空ステム２ａ内に引き込んだり、あるいはボール弁等を吐出弁として使用する場合にはポンプの吐出弁（図示せず）の動作を緩慢にすることで主通路５内に残存する内容物を中空ステム２ａの内部通路を経てシリンダ内に引き込むバックサクション効果を付与することが可能であるところ、従来の押圧ヘッドは、バックサクションによる内容物の引き込みは通路の断面中央領域では比較的効率の良い引き込みが見られるものの、通路の壁面に近い領域ではその引き込みが弱い傾向にあり、これがために液垂れやノズル閉塞を起こすことも懸念されたが、主通路５の壁面にそれに沿って伸延する細溝６を設けることで、通路の開口面積が従来のノズルの開口面積と同等であっても壁面に近い領域に存在する内容物も効率良く引き込まれることとなる。
【００１９】
本発明の実施の形態では、主通路５に４本の細溝６を等間隔に設けた場合について示したが、これは、例えば図３に示すような隆起部７を設けて主通路５の断面内で狭小部分を設けるようにしてもよく、これによっても壁面に近い領域に存在する内容物を効率的に引き込むことが可能になる。
【００２０】
細溝６あるいは隆起部７を設けた他の例を図４（ａ）（ｂ）に、また、前述の細溝６、隆起部７をノズル４の全長にではなく先端部から中間まで設け中間から中空ステム２ａの内部通路に至るまではノズル通路の径を細くした例を図５にそれぞれ示す。とくに、図５に示すように、ノズル４の根元近傍域の通路を細径とし中間部位から先端に向けて通路の断面積を大きくすると内容物の注出速度が抑えられ水鉄砲状に飛び出すことはない。なお、ノズル通路の径を細くした部分の長さについては、図示のものに限られるわけではなく、内容物の粘度やノズル断面積等の諸条件によって適宜に設定される。
【００２１】
細溝６、隆起部７の本数はとくに限定されない。また、これらの細溝６、隆起部７は主通路５に沿って連続的に伸延させてもよいし断続的に伸延させることができ、さらに、これに加えて螺旋を描くように配置してもよい。
【００２２】
細溝６または隆起部７による開口断面形状は円形状の他に四角形状、角にＲを付与した略四角形状あるいは円弧を付与した楕円形状等、何れかの形状を選択することが可能であるが、内容物の水鉄砲のように勢いよく飛び出してしまうのを抑える観点から、細溝６、隆起部７を含めた主通路５の開口面積が従来使用されているノズルの通路の開口面積とほぼ同等とするのが好ましい。
【００２３】
【発明の効果】
本発明によれば、注出を停止したときにノズル内に残存する内容物を効率よくシリンダ内に引き込むことができるので液垂れを起こしたり残存内容物の乾燥、固化によってノズル閉塞を起こすことがなく安定注出が可能になる。
【図面の簡単な説明】
【図１】本発明に従う押圧ヘッドの実施の形態を示した図である。
【図２】図１に示した押圧ヘッドのみを示した図である。
【図３】本発明に従う押圧ヘッドの他の実施の形態を示した図である。
【図４】（ａ）（ｂ）はノズルの通路の断面形状を示した図である。
【図５】本発明に従う押圧ヘッドの他の実施の形態を示した図である。
【符号の説明】
１  キャップ
２  ポンプ
２ａ  中空ステム
２ｂ  弾性部材
３  ヘッド本体
４  ノズル
５  主通路
６  細溝
７  隆起部
【図１】
2004243239.tif 000003
【図２】
2004243239.tif 000004
【図３】
2004243239.tif 000005
【図４】
2004243239.tif 000006
【図５】
2004243239.tif 000007